(57)【要約】【課題】ユーザーの使用実態等にあわせて無駄な電力消費を的確に抑制することが可能な可搬型放射線画像撮影装置を提供する。【解決手段】バッテリー２４を内蔵する可搬型放射線画像撮影装置１は、装置に関する情報を収集するとともに、装置の電源のオン／オフを切り替え、または、装置の電力消費モードを、撮影を行うことが可能な撮影可能モードと、撮影可能モードよりも消費電力量が少ないが撮影を行うことができない省電力モードとの間で切り替えることが可能な切替手段２２Ａを備え、切替手段２２Ａは、記憶手段３１に保存されている過去のイベント情報と、現時点で収集し或いは入力を受け付けたイベント情報とに基づいて、撮影が行われるか否かを判断し、撮影が行われないと判断した場合には、装置の電源をオンからオフに切り替え、または、装置の電力消費モードを撮影可能モードから省電力モードに切り替える。【選択図】図５
2015112358.tif 000002
【特許請求の範囲】
【請求項１】
二次元状に配列された複数の放射線検出素子を備える可搬型放射線画像撮影装置において、
装置の電源のオン／オフを切り替え、または、装置の電力消費モードを、撮影を行うことが可能な撮影可能モードと、前記撮影可能モードよりも消費電力量が少ないが撮影を行うことができない省電力モードとの間で切り替えることが可能な切替手段と、
装置または撮影に関するイベント情報を収集し、または入力された前記イベント情報を受け付けるイベント情報管理手段と、
収集され、または入力された前記イベント情報を保存可能な記憶手段と、
を備え、
電力を供給するバッテリーを内蔵し、
前記切替手段は、
前記記憶手段に保存されている過去の前記イベント情報と、現時点で収集されまたは入力された前記イベント情報とに基づいて、撮影が行われるか否かを判断するとともに、
撮影が行われないと判断した場合には、前記電源をオンからオフに切り替え、または、前記電力消費モードを前記撮影可能モードから前記省電力モードに切り替えることを特徴とする可搬型放射線画像撮影装置。
【請求項２】
前記切替手段は、撮影が行われると判断した場合には、前記電源をオフからオンに切り替え、または、前記電力消費モードを前記省電力モードから前記撮影可能モードに切り替えることを特徴とする請求項１に記載の可搬型放射線画像撮影装置。
【請求項３】
装置に加わる加速度を検出する加速度センサーを備え、
前記イベント情報管理手段は、前記加速度センサーから前記加速度の情報を収集して前記イベント情報として前記記憶手段に保存し、
前記切替手段は、前記記憶手段に保存されている前記加速度センサーが検出した過去の前記加速度と、現時点で前記加速度センサーが検出した前記加速度に基づいて、装置が撮影室から退出したと判断した場合には、撮影が行われないと判断することを特徴とする請求項１または請求項２に記載の可搬型放射線画像撮影装置。
【請求項４】
前記イベント情報管理手段は、入力された撮影オーダー情報を前記イベント情報として前記記憶手段に保存し、
前記切替手段は、
前記記憶手段に保存されている過去の前記撮影オーダー情報と、現時点で入力された前記撮影オーダー情報に基づいて、これから行われる撮影が一人の被撮影者に対して複数の撮影部位を撮影する撮影であると判断した場合には、撮影ごとに前記電力消費モードを前記撮影可能モードから前記省電力モードに切り替えるが、
これから行われる撮影が複数の被撮影者に対して同一の撮影部位を撮影する撮影であると判断した場合には、撮影ごとの前記電力消費モードの前記撮影可能モードから前記省電力モードへの切り替えは行わないことを特徴とする請求項１または請求項２に記載の可搬型放射線画像撮影装置。
【請求項５】
前記イベント情報管理手段は、入力された撮影オーダー情報を前記イベント情報として前記記憶手段に保存し、
前記切替手段は、
前記記憶手段に保存されている過去の前記撮影オーダー情報に指定されている撮影部位または被撮影者の年齢と、現時点で入力された前記撮影オーダー情報に指定されている前記撮影部位または前記被撮影者の年齢とに基づいて、これから行われる撮影が、前記電力消費モードを前記省電力モードに切り替えた状態を経由して行われる撮影であると判断した場合には、前記電力消費モードを前記撮影可能モードから前記省電力モードに切り替えるが、
これから行われる撮影が、前記電力消費モードを前記省電力モードに切り替えた状態を経由せずに行われる撮影であると判断した場合には、前記電力消費モードの前記撮影可能モードから前記省電力モードへの切り替えは行わないことを特徴とする請求項１または請求項２に記載の可搬型放射線画像撮影装置。
【請求項６】
前記イベント情報管理手段は、撮影が撮影室で行われるか、または回診車を用いて行われるかに関する情報を前記イベント情報として前記記憶手段に保存し、
前記切替手段は、前記記憶手段に保存されている過去の前記情報と、現時点で入力された前記情報とに基づいて、撮影が前記回診車を用いて行われると判断した場合には、前記電力消費モードを前記撮影可能モードから前記省電力モードに切り替えることを特徴とする請求項１または請求項２に記載の可搬型放射線画像撮影装置。
【請求項７】
前記バッテリーの電圧を検出する電圧検出手段を備え、
前記イベント情報管理手段は、前記電圧検出手段からの前記バッテリーの電圧の情報と撮影が行われたとの情報を収集して前記イベント情報として前記記憶手段に保存し、
前記切替手段は、
前記記憶手段に保存されている過去の前記バッテリーの電圧の情報および前記撮影が行われたとの情報と、現時点で収集された前記バッテリーの電圧の情報とに基づいて、現時点での前記バッテリーの電圧で残りの撮影スケジュールを完了することが可能か否かを判断するとともに、
現時点での前記バッテリーの電圧で残りの撮影スケジュールを完了することができないと判断した場合には、その旨を報知することを特徴とする請求項１または請求項２に記載の可搬型放射線画像撮影装置。
【請求項８】
実時間を計る時計を備え、
前記イベント情報管理手段は、装置に対して放射線が照射されたことを表す情報に、前記時計により計られた前記実時間を対応付けて、前記イベント情報として前記記憶手段に保存し、
前記切替手段は、前記記憶手段に保存されている、前記実時間と対応付けられている過去の前記イベント情報に基づいて、装置が撮影に使用される時間帯を割り出し、現時点の前記実時間が、装置が使用されない時間帯である場合には、撮影が行われないと判断することを特徴とする請求項１または請求項２に記載の可搬型放射線画像撮影装置。
【請求項９】
実時間を計る時計を備え、
前記イベント情報管理手段は、収集しまたは入力された前記装置または撮影に関するイベント情報に、前記時計により計られた前記実時間を対応付けて、前記イベント情報として前記記憶手段に保存することを特徴とする請求項１から請求項７のいずれか一項に記載の可搬型放射線画像撮影装置。
【請求項１０】
二次元状に配列された複数の放射線検出素子と、
装置の電源のオン／オフを切り替え、または、装置の電力消費モードを、撮影を行うことが可能な撮影可能モードと、前記撮影可能モードよりも消費電力量が少ないが撮影を行うことができない省電力モードとの間で切り替えることが可能な切替手段と、
装置または撮影に関するイベント情報を収集し、または入力された前記イベント情報を受け付けるイベント情報管理手段と、
各機能部に電力を供給するバッテリーと、
外部との通信を行う通信手段と、
を備える可搬型放射線画像撮影装置と、
前記放射線画像撮影装置の前記イベント情報管理手段が収集しまたは前記イベント情報管理手段に入力された前記イベント情報を保存可能な記憶手段を備えるコンソールまたは管理装置と、
を備え、
前記コンソールまたは前記管理装置は、前記記憶手段に保存されている過去の前記イベント情報と、現時点で前記放射線画像撮影装置の前記イベント情報管理手段が収集してまたは前記イベント情報管理手段に入力されて送信してきた前記イベント情報とに基づいて、撮影が行われるか否かを判断するとともに、撮影が行われないと判断した場合には、前記放射線画像撮影装置の前記電源をオンからオフに切り替え、または、前記放射線画像撮影装置の前記電力消費モードを前記撮影可能モードから前記省電力モードに切り替えるように前記放射線画像撮影装置の前記切替手段に指示し、
前記放射線画像撮影装置の前記切替手段は、前記コンソールまたは前記管理装置からの前記指示に基づいて、前記放射線画像撮影装置の前記電源をオンからオフに切り替え、または、前記放射線画像撮影装置の前記電力消費モードを前記撮影可能モードから前記省電力モードに切り替えることを特徴とする放射線画像撮影システム。
【発明の詳細な説明】
【技術分野】
【０００１】
本発明は、可搬型放射線画像撮影装置および放射線画像撮影システムに関する。
【背景技術】
【０００２】
放射線画像撮影装置としてＦＰＤ（Flat Panel Detector）を用いたものが知られており、従来は支持台と一体的に形成された、いわゆる専用機型として構成されていたが、近年、放射線検出素子等を筐体内に収納し、持ち運び可能とした可搬型（カセッテ型等ともいう。）の放射線画像撮影装置が開発され、実用化されている。
【０００３】
そして、可搬型の放射線画像撮影装置ではバッテリーが内蔵されている場合が少なくない。その場合、バッテリーの電力が無駄に消費されてしまうと、１回の充電で行うことができる撮影の回数が少なくなる。そのため、放射線画像撮影装置を頻繁に充電することが必要になり、撮影の作業効率が低下するとともに、ユーザーである放射線技師等は撮影の合間に頻繁に充電しなければならなくなるため放射線画像撮影装置の使い勝手が悪いと感じてしまう。そこで、電力を無駄に消費しないようにするために、例えば、撮影が一定時間行われない場合には、電力消費モードが自動的に消費電力の少ないスリープモードに切り替わるように構成された放射線画像撮影装置が知られている。
【０００４】
また、例えば特許文献１では、カセッテ型の放射線画像撮影装置の取っ手の部分に設けた取っ手保持検知手段からの信号等に基づいて、放射線技師等の操作者がカセッテ型の放射線画像撮影装置の取っ手を保持する等していて、放射線画像撮影装置を使った撮影が行われていない状態（すなわち非使用状態）であると判断される場合に、読み出し回路等への電力供給を抑制するように構成することで、消費電力を低減することを可能とする放射線画像撮影装置が提案されている。
【先行技術文献】
【特許文献】
【０００５】
【特許文献１】特開２００５−３７５６号公報
【発明の概要】
【発明が解決しようとする課題】
【０００６】
しかし、特許文献１に記載された放射線画像撮影装置では、放射線技師等の操作者が取っ手から手を離した後、撮影が行われるのか、或いは撮影に使用されずに放置されるのかを判別することは必ずしも容易ではなく、そのため、放射線画像撮影装置が放置されているにもかかわらず、少なくとも一定時間、読み出し回路等に電力を供給する状態が継続する可能性があり、電力が無駄に消費されてしまう可能性がある。そのため、放射線画像撮影装置には、電力の消費をより的確に抑制することが可能であることが求められる。
【０００７】
本発明は、上記の問題点を鑑みてなされたものであり、放射線技師等の操作者の使用実態等にあわせて無駄な電力消費を的確に抑制することが可能な可搬型放射線画像撮影装置および放射線画像撮影システムを提供することを目的とする。
【課題を解決するための手段】
【０００８】
前記の問題を解決するために、本発明の可搬型放射線画像撮影装置は、
二次元状に配列された複数の放射線検出素子を備える可搬型放射線画像撮影装置において、
装置の電源のオン／オフを切り替え、または、装置の電力消費モードを、撮影を行うことが可能な撮影可能モードと、前記撮影可能モードよりも消費電力量が少ないが撮影を行うことができない省電力モードとの間で切り替えることが可能な切替手段と、
装置または撮影に関するイベント情報を収集し、または入力された前記イベント情報を受け付けるイベント情報管理手段と、
収集され、または入力された前記イベント情報を保存可能な記憶手段と、
を備え、
電力を供給するバッテリーを内蔵し、
前記切替手段は、
前記記憶手段に保存されている過去の前記イベント情報と、現時点で収集されまたは入力された前記イベント情報とに基づいて、撮影が行われるか否かを判断するとともに、
撮影が行われないと判断した場合には、前記電源をオンからオフに切り替え、または、前記電力消費モードを前記撮影可能モードから前記省電力モードに切り替えることを特徴とする。
【０００９】
また、本発明の放射線画像撮影システムは、
二次元状に配列された複数の放射線検出素子と、
装置の電源のオン／オフを切り替え、または、装置の電力消費モードを、撮影を行うことが可能な撮影可能モードと、前記撮影可能モードよりも消費電力量が少ないが撮影を行うことができない省電力モードとの間で切り替えることが可能な切替手段と、
装置または撮影に関するイベント情報を収集し、または入力された前記イベント情報を受け付けるイベント情報管理手段と、
各機能部に電力を供給するバッテリーと、
外部との通信を行う通信手段と、
を備える可搬型放射線画像撮影装置と、
前記放射線画像撮影装置の前記イベント情報管理手段が収集しまたは前記イベント情報管理手段に入力された前記イベント情報を保存可能な記憶手段を備えるコンソールまたは管理装置と、
を備え、
前記コンソールまたは前記管理装置は、前記記憶手段に保存されている過去の前記イベント情報と、現時点で前記放射線画像撮影装置の前記イベント情報管理手段が収集してまたは前記イベント情報管理手段に入力されて送信してきた前記イベント情報とに基づいて、撮影が行われるか否かを判断するとともに、撮影が行われないと判断した場合には、前記放射線画像撮影装置の前記電源をオンからオフに切り替え、または、前記放射線画像撮影装置の前記電力消費モードを前記撮影可能モードから前記省電力モードに切り替えるように前記放射線画像撮影装置の前記切替手段に指示し、
前記放射線画像撮影装置の前記切替手段は、前記コンソールまたは前記管理装置からの前記指示に基づいて、前記放射線画像撮影装置の前記電源をオンからオフに切り替え、または、前記放射線画像撮影装置の前記電力消費モードを前記撮影可能モードから前記省電力モードに切り替えることを特徴とする。
【発明の効果】
【００１０】
本発明のような方式の可搬型放射線画像撮影装置および放射線画像撮影システムによれば、放射線技師等の操作者の使用実態等にあわせて放射線画像撮影装置のバッテリーの無駄な電力消費を的確に抑制することが可能となる。そのため、可搬型放射線画像撮影装置においてバッテリーの１回の充電で行うことができる撮影の回数を増加させることが可能となり、放射線画像撮影装置を用いた撮影での撮影の作業効率をより向上させることが可能となる。また、そのため、放射線画像撮影装置や、放射線画像撮影装置を含む放射線画像撮影システムを、放射線技師等の操作者にとって使い勝手がよいものとすることが可能となる。
【図面の簡単な説明】
【００１１】
【図１】本実施形態に係る可搬型放射線画像撮影装置の外観を示す斜視図である。
【図２】可搬型放射線画像撮影装置の等価回路を表すブロック図である。
【図３】撮影室等に構築された放射線画像撮影システムの構成例を示す図である。
【図４】回診車上に構築された放射線画像撮影システムの構成例、および操作者が携帯する携帯端末を表す図である。
【図５】本実施形態に係る放射線画像撮影装置における電力消費を抑制するための構成の一例を表す図である。
【図６】撮影オーダー情報の例を表す図である。
【図７】撮影室が複数設けられる場合の放射線画像撮影システムの構成例等を表す図である。
【発明を実施するための形態】
【００１２】
以下、本発明に係る可搬型放射線画像撮影装置および放射線画像撮影システムの実施の形態について、図面を参照して説明する。
【００１３】
なお、以下では、可搬型放射線画像撮影装置を、単に放射線画像撮影装置と表す場合がある。また、以下では、放射線画像撮影装置として、シンチレーター等を備え、放射された放射線を可視光等の他の波長の電磁波に変換して放射線検出素子に照射するいわゆる間接型の放射線画像撮影装置について説明するが、本発明は、シンチレーター等を介さずに放射線を放射線検出素子で直接検出する、いわゆる直接型の放射線画像撮影装置に対しても適用することができる。
【００１４】
［可搬型放射線画像撮影装置］
図１は、本実施形態に係る可搬型放射線画像撮影装置の外観を示す斜視図である。本実施形態では、放射線画像撮影装置１は、後述する放射線検出素子７等が筐体２内に収納されて構成されており、筐体２の一方の側面には、電源スイッチ２５や切替スイッチ２６、コネクター２７、インジケーター２８等が配置されている。また、図示を省略するが、本実施形態では、筐体２の例えば反対側の側面等に、外部と無線通信を行うためのアンテナ２９（後述する図２参照）が設けられている。なお、放射線画像撮影装置１は、外部と無線方式で通信を行う場合にはアンテナ２９を用い、外部と有線方式で通信を行う場合にはコネクター２７に図示しないケーブルを接続させて通信するようになっている。
【００１５】
図２は、可搬型放射線画像撮影装置の等価回路を表すブロック図である。図２に示すように、放射線画像撮影装置１には、図示しないセンサー基板上に複数の放射線検出素子７が二次元状（マトリクス状）に配列されている。各放射線検出素子７は、後述する放射線発生装置５５の放射線源５２（図３や図４参照）から照射され、図示しない被写体を透過した放射線の量に応じた電荷を発生させるようになっている。各放射線検出素子７には、バイアス線９が接続されており、バイアス線９は結線１０に接続されている。そして、結線１０はバイアス電源１４に接続されており、バイアス電源１４からバイアス線９等を介して各放射線検出素子７に逆バイアス電圧が印加されるようになっている。
【００１６】
各放射線検出素子７には、スイッチ素子として薄膜トランジスター（Thin Film Transistor。以下、ＴＦＴという。）８が接続されており、ＴＦＴ８は信号線６に接続されている。また、走査駆動手段１５では、配線１５ｃを介して電源回路１５ａからゲートドライバー１５ｂにオン電圧とオフ電圧が供給されるようになっており、ゲートドライバー１５ｂで走査線５の各ラインＬ１〜Ｌｘに印加する電圧をオン電圧とオフ電圧との間でそれぞれ切り替えるようになっている。そして、各ＴＦＴ８は、走査線５を介してオン電圧が印加されるとオン状態になって、放射線検出素子７内に蓄積された電荷を信号線６に放出させ、また、走査線５を介してオフ電圧が印加されるとオフ状態になって、放射線検出素子７と信号線６との導通を遮断するようになっている。
【００１７】
読み出しＩＣ１６内には複数の読み出し回路１７が設けられており、読み出し回路１７にはそれぞれ信号線６が接続されている。そして、放射線検出素子７から放出された電荷は信号線６を介して読み出し回路１７に流れ込み、増幅回路１８では流れ込んだ電荷の量に応じた電圧値が出力される。そして、相関二重サンプリング回路（図２では「ＣＤＳ」と記載されている。）１９は、増幅回路１８から出力された電圧値をアナログ値の画像データＤとして読み出して下流側に出力する。そして、出力された画像データＤはアナログマルチプレクサー２１を介してＡ／Ｄ変換器２０に順次送信され、Ａ／Ｄ変換器２０でデジタル値の画像データＤに順次変換され、記憶手段２３に出力されて順次保存されるようになっている。
【００１８】
制御手段２２は、図示しないＣＰＵ（Central Processing Unit）やＲＯＭ（Read Only Memory）、ＲＡＭ（Random Access Memory）、入出力インターフェース等がバスに接続されたコンピューターや、ＦＰＧＡ（Field Programmable Gate Array）等で構成されている。専用の制御回路で構成されていてもよい。そして、制御手段２２には、ＳＲＡＭ（Static ＲＡＭ）やＳＤＲＡＭ（Synchronous ＤＲＡＭ）等で構成される記憶手段２３が接続されており、また、アンテナ２９やコネクター２７を介して外部と無線方式や有線方式で通信を行う通信部３０が接続されている。さらに、制御手段２２には、走査駆動手段１５や読み出し回路１７、記憶手段２３、バイアス電源１４等の各機能部に必要な電力を供給するバッテリー２４が接続されている。
【００１９】
本実施形態では、後述するように、制御手段２２は、切替手段やイベント情報管理手段としても機能するようになっている。なお、以下では、制御手段２２が切替手段として機能する場合には切替手段２２Ａと表し、イベント情報管理手段として機能する場合にはイベント情報管理手段２２Ｂと表して説明するが、切替手段やイベント情報管理手段を制御手段２２とは別体の回路等で構成することも可能である。
【００２０】
また、本実施形態では、後述するように、切替手段２２Ａは、放射線画像撮影装置１の電源のオン／オフの切り替えを行うことができるようになっている。また、イベント情報管理手段２２Ｂは、放射線画像撮影装置１の電源がオフの状態においても、装置や撮影に関するイベント情報を収集し、或いはイベント情報の入力を受け付けるようになっている。そのため、放射線画像撮影装置１の電源がオフの状態でも、切替手段２２Ａやイベント情報管理手段２２Ｂとしての制御手段２２には、バッテリー２４から、或いはバッテリー２４とは別の、バッテリー２４よりも容量が小さい電池等から常時電力が供給されるようになっている。なお、放射線画像撮影装置１の電源がオフの状態での電力の消費量が極力小さくなるように構成されることは言うまでもない。
【００２１】
また、本実施形態では、後述するように、切替手段２２Ａは、放射線画像撮影装置１の電力消費モードを、少なくとも、走査駆動手段１５や読み出し回路１７を含む各機能部に電力を供給し、撮影を行うことが可能な撮影可能モードと、撮影可能モードよりも消費電力量が少ないが撮影を行うことができない省電力モードとの間で切り替えることができるようになっている。
【００２２】
なお、本実施形態では、放射線画像撮影装置１は、省電力モードとして、さらに、撮影可能モードと同様に各機能部に通電するが各放射線検出素子７のリセット処理は行わないスタンバイモードと、走査駆動手段１５や読み出し回路１７等には電力を供給せず、外部からの信号の送信等があった場合にそれを受信できるようにするための通信部３０等の必要な機能部にのみ電力を供給するスリープモードとを有するように構成されている。この場合、スタンバイモードは、スリープモードよりは電力の消費量が多いが、撮影可能モードよりも電力の消費量が少ない。
【００２３】
また、省電力モードとして、スタンバイモードやスリープモード以外にも種々の電力消費レベルのモードを設けるように構成することも可能であり、電力消費モードにおけるモードの設定の仕方は適宜決められる。さらに、放射線画像撮影装置１における電力消費を抑制するための構成等については、放射線画像撮影システムについて説明した後で説明する。
【００２４】
［放射線画像撮影システム］
本実施形態に係る放射線画像撮影システム５０の構成例について説明する。図３は、本実施形態に係る放射線画像撮影システム５０の構成例を示す図である。図３では、放射線画像撮影システム５０が撮影室Ｒ１内等に構築されている場合が示されている。撮影室Ｒ１には、ブッキー装置５１が設置されており、ブッキー装置５１は、そのカセッテ保持部５１ａに上記の放射線画像撮影装置１を装填することができるようになっている。なお、図３では、ブッキー装置５１として、立位撮影用のブッキー装置５１Ａと臥位撮影用のブッキー装置５１Ｂが設置されている場合が示されているが、一方のブッキー装置５１のみが設けられていてもよい。また、図３に示すように、撮影室Ｒ１には、被写体を介してブッキー装置５１に装填された放射線画像撮影装置１に放射線を照射する放射線発生装置５５の放射線源５２Ａが少なくとも１つ設けられている。
【００２５】
また、撮影室Ｒ１には、撮影室Ｒ１内の各装置等や撮影室Ｒ１外の各装置等の間の通信等を中継するための、アクセスポイント５３を備えた中継器５４が設けられている。また、中継器５４は、放射線発生装置５５やコンソール５８と接続されており、中継器５４には、放射線画像撮影装置１やコンソール５８等から放射線発生装置５５に送信するＬＡＮ（Local Area Network）通信用の信号等を放射線発生装置５５用の信号等に変換し、また、その逆の変換も行う図示しない変換器が内蔵されている。また、放射線発生装置５５は、放射線源５２から適切な線量の放射線が照射されるように、放射線源５２に対して管電流や照射時間等を設定するなど種々の制御を行うようになっている。
【００２６】
本実施形態では、前室（操作室等ともいう。）Ｒ２には、放射線発生装置５５の操作卓５７が設けられており、操作卓５７には、放射線技師等の操作者が操作して放射線発生装置５５に対して放射線の照射開始等を指示するための曝射スイッチ５６が設けられている。曝射スイッチ５６には、図示しないボタンが設けられており、放射線技師等の操作者が曝射スイッチ５６のボタンに対して１段目の操作（すなわちいわゆる半押し操作）を行うと、放射線発生装置５５は放射線源５２を起動させる。そして、操作者が曝射スイッチ５６のボタンに対して２段目の操作（すなわちいわゆる全押し操作）を行うと、放射線発生装置５５は、放射線源５２から放射線を照射させる。なお、放射線発生装置５５から放射線を照射する際の放射線発生装置５５と放射線画像撮影装置１との間の連携の有無等については後で説明する。
【００２７】
また、図３に示すように、本実施形態では、コンピューター等で構成されたコンソール５８が前室Ｒ２に設けられている。なお、コンソール５８を撮影室Ｒ１や前室Ｒ２の外側や別室等に設けるように構成することも可能であり、適宜の場所に設置される。コンソール５８には、ＣＲＴ（Cathode Ray Tube）やＬＣＤ（Liquid Crystal Display）等を備えて構成される表示部５８ａが設けられており、また、図示しないマウスやキーボード等の入力手段を備えている。また、コンソール５８には、ＨＤＤ（Hard  Disk Drive）等で構成された記憶手段５９が接続され、或いは内蔵されている。さらに、図示を省略するが、コンソール５８には、ＬＡＮ等のネットワーク等を介してＨＩＳ（Hospital Information System；病院情報システム）やＲＩＳ（Radiology Information System；放射線科情報システム）、ＰＡＣＳ（Picture Archiving and Communication System）等が接続されている。
【００２８】
一方、放射線画像撮影装置１は、図４に示すように、ブッキー装置５１には装填されずに、いわば単独の状態で用いることもできるようになっている。図４は、回診車６０上に構築された放射線画像撮影システム５０の構成例を示す図である。例えば、患者Ｈが病室Ｒ３のベッドＢから起き上がれず、図３に示したような撮影室Ｒ１に行くことができないような場合には、図４に示すように、放射線画像撮影装置１や回診車６０を病室Ｒ３内に持ち込み、ベッドＢと患者Ｈの身体との間に差し込んだり患者Ｈの身体にあてがったりして用いることができる。
【００２９】
また、放射線画像撮影装置１を病室Ｒ３等で用いる場合、前述した撮影室Ｒ１に据え付けられた放射線発生装置５５に代えて、図４に示すように、放射線発生装置５５が回診車６０に搭載されて病室Ｒ３に持ち込まれる。また、この場合、回診車６０には、放射線の照射方向等を適切に変えることができるポータブルの放射線５２Ｐが搭載される。また、回診車６０には、ノートパソコン等の可搬型のコンピューター等で構成されるコンソール５８等も搭載されている。なお、図４では図示を省略したが、回診車６０には、図３に示したアクセスポイント５３や中継器５４等も搭載されるように構成される。
【００３０】
なお、図３に示した撮影室Ｒ１で撮影を行う場合も同様であるが、例えば図４に示すように、放射線技師等の操作者Ｅに表示部７１を有する携帯端末７０を携帯させ、コンソール５８の表示部５８ａ上に表示させる画像を、携帯端末７０の表示部７１上にも表示させるなど、携帯端末７０にコンソール５８と同様の機能を持たせるように構成することも可能である。このように構成すれば、放射線技師等の操作者が、いちいちコンソール５８の所に行かなくても、自分が携帯している携帯端末７０の表示部７１上で画像を確認することが可能となるため、操作者にとって使い勝手がよいものとなる。
【００３１】
また、本実施形態では、コンソール５８は、放射線画像撮影装置１から画像データＤ等が送信されてくると、それらに基づいてゲイン補正や欠陥画素補正、撮影部位に応じた階調処理等の精密な画像処理を行って放射線画像を生成する画像処理装置としても機能するようになっている。
【００３２】
［放射線画像撮影装置と放射線発生装置との間の連携の有無について］
なお、よく知られているように、上記のように放射線発生装置５５から放射線画像撮影装置１に放射線を照射して撮影を行う場合、放射線発生装置５５と放射線画像撮影装置１との間でインターフェースを確立し、両者の間で連携をとりながら撮影が行われる場合がある。なお、以下、この方式を連携方式（同期方式等ともいう。）という。
【００３３】
この連携方式の場合、放射線画像撮影装置１は撮影前に各放射線検出素子７内から電荷を除去する各放射線検出素子７のリセット処理を開始し、放射線技師等の操作者が曝射スイッチ５６に対して２段目の操作（すなわち全押し操作）を行った時点で、放射線画像撮影装置１に直接、或いはコンソール５８を介して照射開始信号を送信する。放射線画像撮影装置１は、例えばその時点で行っている各放射線検出素子７のリセット処理が１フレーム分（すなわち走査線５の最後のラインＬｘまで）終わった時点でリセット処理を停止する。そして、走査駆動手段１５から各走査線５を介して各ＴＦＴ８にオフ電圧を印加させて各ＴＦＴ８をオフ状態とし、各放射線検出素子７内で発生した電荷が各放射線検出素子７内に蓄積される電荷蓄積状態に移行させる。そして、放射線画像撮影装置１から放射線発生装置５５にインターロック解除信号を送信することで、放射線発生装置５５から放射線画像撮影装置１に対して放射線が照射される。連携方式では、このようにして、放射線画像撮影装置１と放射線発生装置５５とが連携して撮影が行われる。
【００３４】
なお、放射線画像撮影装置１が、例えば上記のように電力消費モードを撮影可能モードと省電力モード（スタンバイモード、スリープモード）との間で切り替えることができるように構成されている場合、従来、以下のように構成されるケースがあった。すなわち、放射線技師等の操作者がコンソール５８を操作して放射線画像撮影装置１をスリープモードから覚醒させると、放射線画像撮影装置１は、覚醒した初期の状態ではスタンバイモードに移行して各機能部に対して初期設定等の必要な処理を行わせる。そして、初期動作が完了した時点で電力消費モードを撮影可能モードに切り替え、撮影に向けて、上記のように各放射線検出素子７のリセット処理を行うように構成される場合があった。
【００３５】
しかし、これに代えて、例えば、放射線発生装置５５を、曝射スイッチ５６の１段目の操作（すなわち半押し操作）が行われた時点で放射線画像撮影装置１に信号を送信するように構成し、或いは、曝射スイッチ５６に半押し操作等がなされたか否かを検出する検出手段（例えば特開２０１１−１０４０８３号公報のストローク検出手段６０参照）を取り付けて曝射スイッチ５６の１段目の操作（すなわち半押し操作）が行われた時点でこの検出手段から放射線画像撮影装置１に信号を送信するように構成する。一方、放射線画像撮影装置１は、コンソール５８からの覚醒信号を受信してスリープモードから覚醒し、上記のように初期動作が完了しても、電力消費モードを撮影可能モードに切り替えず、スタンバイモードを継続するように構成する。そして、上記のように、放射線発生装置５５や検出手段から曝射スイッチ５６の１段目の操作が行われた旨の信号を受信した時点で初めて電力消費モードを撮影可能モードに切り替えて各放射線検出素子７のリセット処理を開始するように構成することが可能である。
【００３６】
そして、曝射スイッチ５６に対する２段目の操作（すなわち全押し操作）が行われ放射線発生装置５５から上記の照射開始信号が送信されてきた時点で、必要な回数のリセット処理が行われていなければ、放射線画像撮影装置１は必要な回数のリセット処理が完了した時点で上記のようにインターロック解除信号を送信して電荷蓄積状態に移行する。
【００３７】
また、放射線発生装置５５から照射開始信号が送信されてくるより先に、上記の必要な回数のリセット処理が完了した場合には、必要な回数のリセット処理が完了した時点でリセット処理を停止して電荷蓄積状態に移行させておき、上記の信号が送信されてきた時点で即座にインターロック解除信号を放射線発生装置５５に送信するように構成することが可能である。また、必要な回数のリセット処理が完了した後もリセット処理を継続して行わせるように構成することも可能である。そして、この場合は、上記と同様に、照射開始信号が送信されてきた時点で時点で行っているリセット処理が１フレーム分終了した時点でリセット処理を停止し、電荷蓄積状態に移行させると同時に放射線発生装置５５にインターロック解除信号を送信するように構成される。
【００３８】
いずれにせよ、上記のように構成することで、放射線画像撮影装置１における電力消費を的確に抑制して低減することが可能となる。すなわち、放射線技師等の操作者が放射線画像撮影装置１を覚醒させても、すぐには放射線発生装置５５から放射線画像撮影装置１に放射線は照射されず、放射線画像撮影装置１と被写体との間のポジショニング等に時間がかかる場合がある。従来の場合には、ポジショニング等が行われている間も各放射線検出素子７のリセット処理が行われていたが、上記のように、この間にリセット処理を行わず、曝射スイッチ５６に対する１段目の操作が行われた時点でリセット処理を開始するように構成することで、各放射線検出素子７のリセット処理が長々と行われることがなくなり放射線画像撮影装置１における電力消費を抑制することが可能となる。そして、上記のように、放射線画像撮影装置１への放射線の照射が開始される前に、少なくとも必要な回数のリセット処理を行うように構成すれば、各放射線検出素子７内から電荷を的確に除去した状態で撮影を行うことが可能となり、撮影を的確に行うことが可能となる。
【００３９】
一方、放射線発生装置５５から放射線画像撮影装置１に放射線を照射して撮影を行う場合、上記のように放射線発生装置５５と放射線画像撮影装置１との間でインターフェースが確立できず、或いはインターフェースを確立せず、両者の間で連携をとらずに、放射線画像撮影装置１自体で放射線の照射開始を検出するようにして撮影が行われる場合もある。なお、以下、この方式を非連携方式（非同期方式等ともいう。）という。
【００４０】
この非連携方式の場合、放射線画像撮影装置１に放射線センサー等を取り付けたり、バイアス線９や結線１０（図２参照）を流れる電流を検出する電流検出手段を設ける（例えば特開２００９−２１９５３８号公報等参照）等して、放射線センサーや電流検出手段等からの出力値に基づいて放射線画像撮影装置１自体で放射線の照射開始を検出するように構成することが可能である。また、放射線の照射開始前から、各ＴＦＴ８を介して各放射線検出素子７からリークする電荷に対応するデータであるリークデータの読み出し処理を行ったり（例えば国際公開第２０１１／１３５９１７号パンフレット等参照）、放射線の照射開始前から画像データＤの読み出し処理と同様にして各放射線検出素子７から照射開始検出用のデータの読み出し処理を行うように構成し（例えば国際公開第２０１１／１５２０９３号パンフレット等参照）、読み出したリークデータや照射開始検出用のデータ、或いはそれらのデータから算出される値等に基づいて放射線画像撮影装置１自体で放射線の照射開始を検出するように構成することも可能である。
【００４１】
そして、非連携方式の場合、放射線画像撮影装置１は放射線の照射開始を検出した時点で各ＴＦＴ８をオフ状態として電荷蓄積状態に移行させるように構成される。そのため、非連携方式においても、放射線の照射により各放射線検出素子７内で発生した電荷を各放射線検出素子７内に的確に蓄積されることが可能となるため、非連携方式でも放射線画像撮影を的確に行うことが可能となる。なお、本発明は、連携方式で撮影を行う場合と非連携方式で撮影を行う場合のいずれの場合にも適用される。
【００４２】
［放射線画像撮影装置における電力消費を抑制するための構成等について］
以下、本実施形態に係る放射線画像撮影装置１における電力消費を抑制するための構成等について、いくつかの例を挙げて説明する。また、本実施形態に係る放射線画像撮影装置１の作用についてもあわせて説明する。
【００４３】
本実施形態では、放射線画像撮影装置１は、図５に示すように、装置の電源のオン／オフを切り替えたり、装置の電力消費モードを撮影可能モードと省電力モード（スタンバイモード、スリープモード）との間で切り替えることが可能な切替手段２２Ａを備えている。なお、省電力モードは、スリープモードとスタンバイモードの２種類有するように構成する必要はなく、１種類のモードでもよい。また、省電力モードとして３種類以上のモードを有するように構成することも可能である。
【００４４】
また、放射線画像撮影装置１は、図５に示すように、放射線画像撮影装置１や撮影に関するイベント情報を収集したり、外部装置や放射線技師等の操作者から入力されたイベント情報を受け付けるイベント情報管理手段２２Ｂと、このようにして収集されたり入力されたイベント情報を保存可能な記憶手段３１とを備えている。なお、この場合の記憶手段は、前述した記憶手段２３（図２参照）等を用いるように構成してもよく、また、制御手段２２のＲＡＭ等を用いるように構成することも可能であり、それらの記憶手段とは別体の記憶手段として構成することも可能である。また、イベント情報管理手段２２Ｂは、必要に応じてSyslog３２の機能を活用する等してイベント情報を収集したりイベント情報の入力を受け付けたりするようになっている。
【００４５】
そして、本実施形態では、切替手段２２Ａは、イベント情報管理手段２２Ｂにより収集され、または入力が受け付けられて記憶手段３１に保存されている過去のイベント情報と、現時点で収集され或いは入力されたイベント情報とに基づいて、撮影が行われるか否かを判断する。そして、撮影が行われないと判断した場合には、放射線画像撮影装置１の電源をオンからオフに切り替えたり、電力消費モードを撮影可能モードから省電力モードに切り替えるように構成されている。
【００４６】
なお、本実施形態では、放射線画像撮影装置１の切替手段２２Ａは、イベント情報管理手段２２Ｂにより収集され、または入力が受け付けられて記憶手段３１に保存されている過去のイベント情報を解析したり、それらの過去のイベント情報に基づいていわば学習する。そして、その結果、切替手段２２Ａは、現時点でイベント情報が収集され或いはイベント情報が入力されると、そのイベント情報に対応する、或いは類似するイベント情報が過去に収集され入力された際の状況がどのような状況であったかを上記の解析や学習等から導き出して、この後、撮影が行われるか否かを判断するように構成される。
【００４７】
従って、下記の説明において、放射線画像撮影装置１の切替手段２２Ａが、過去のイベント情報が記憶手段３１に保存されており、あるイベント情報が現時点で収集され或いは入力されたという状況が与えられた場合に、撮影が行われる、或いは撮影が行われないと判断するように予めプログラミングされていたり、或いは予めそのように構成されているように読める部分があるとしても、それは本発明の趣旨に沿うものではない。本発明は、あくまで、上記のように、放射線画像撮影装置１の切替手段２２Ａが解析や学習等によって自ら撮影が行われるか否かを判断するようになることを主張するものである。
【００４８】
なお、その場合も、放射線画像撮影装置１の切替手段２２Ａが結果的に適切な判断を行うようになるようにするために、条件付けや方向付け等がユーザーによりなされることは言うまでもない。すなわち、例えば、イベント情報管理手段２２Ｂが記憶手段３１に保存するイベント情報の内容や、切替手段２２Ａが解析すべき内容等（すなわち後述する構成例で言えば例えば撮影オーダー情報の中の撮影部位や年齢等）については、ユーザーが条件付けや方向付け等を行うことになる。
【００４９】
また、以下では、切替手段２２Ａが、放射線画像撮影装置１の電源のオン／オフ切り替えと電力消費モードの切り替えのいずれの制御をも行うことができるように構成されていることを前提として説明するが、切替手段２２Ａで両方の制御を行うように構成する必要はなく、一方の制御のみを行うように構成することも可能である。また、上記の２つの制御以外の切り替え制御も含むように構成し、その切り替え制御によっても電力の消費量の大小を切り替えることができるように構成することも可能であり、上記のいずれの場合も本発明が適用される。さらに、本実施形態においても、従来の場合と同様に、電力消費モードが撮影可能モードの状態で、撮影が一定時間行われない場合には、自動的に省電力モードに切り替わるようになっている。
【００５０】
［構成例１］
電力消費を抑制するための構成例１では、放射線画像撮影装置１は、図５に示すように、加速度センサー３３や時計（Real Time Clock。以下ＲＴＣと略す）３４を備えるように構成される。また、イベント情報管理手段２２Ｂは、少なくとも加速度センサー３３からの出力値、すなわち放射線画像撮影装置１に関するイベント情報の１つである、加速度センサー３３が検出した装置に加わる加速度の情報等を収集し、ＲＴＣ３４から出力される実時間を対応付けて前述した記憶手段３１に保存する。また、この構成例１では、イベント情報管理手段２２Ｂは、放射線技師等の操作者による放射線画像撮影装置１の電源のオン／オフの切り替えの情報や電力消費モードの切り替えの情報も収集して、実時間を対応付けて記憶手段３１に保存する。
【００５１】
放射線技師等の操作者は、通常、放射線画像撮影装置１を撮影室Ｒ１（図３参照）に持ち込むと放射線画像撮影装置１の電源をオンする。また、全ての撮影が終了すると放射線画像撮影装置１の電源をオフして、前室Ｒ２や図示しない保管場所に運び出す。そして、このような動作が繰り返されるごとに、イベント情報管理手段２２Ｂは、加速度センサー３３が検出した加速度の情報にＲＴＣ３４から出力される実時間を対応付けて記憶手段３１にそれらの情報をイベント情報として記憶手段３１に保存していき、放射線技師等の操作者による放射線画像撮影装置１の電源のオン／オフの切り替えや電力消費モードの切り替えがあればそれらの情報も収集して記憶手段３１に保存していく。そして、このような動作が何度か繰り返されると、記憶手段３１内には、加速度センサー３３が検出した放射線画像撮影装置１に加わった加速度の情報や、放射線画像撮影装置１のオン／オフ或いは電力消費モードの切り替えの情報が蓄積される。
【００５２】
ここで、これらの情報を解析することを考える。この場合、それらの情報にはＲＴＣ３４から出力される実時間が対応付けられているため、例えば、それらの情報を時系列的に並べる。また、放射線画像撮影装置１に加わった加速度に基づいて放射線画像撮影装置１が移動した（運ばれた）距離を算出することができる。そこで、放射線画像撮影装置１の移動や電源のオン／オフの切り替え（或いは電力消費モードの切り替え）を時系列的に見て行くと、例えば、放射線画像撮影装置１が所定距離だけ移動すると電源がオンされ（電力消費モードが撮影可能モードに切り替えられ）、放射線画像撮影装置１の電源がオフされると（或いは電力消費モードが省電力モードに切り替えられると）、放射線画像撮影装置１が所定距離だけ移動する等のパターンがあることが分かる。放射線画像撮影装置１の電源がオンされてから放射線画像撮影装置１が移動したり、或いは、放射線画像撮影装置１が所定距離だけ移動してから電源がオフされる等のパターンもあり得る。
【００５３】
そして、このパターンを解析すると、放射線画像撮影装置１の電源がオンされている場所、すなわち放射線画像撮影装置１が所定距離だけ移動した後で電源がオンされた場所、或いは放射線画像撮影装置１の電源がオンされてから所定距離だけ移動した先が撮影室Ｒ１（図３参照）すなわち装置を用いた撮影が行われる場所であることが分かる。また、放射線画像撮影装置１の電源がオフされてから所定距離だけ移動した先、或いは放射線画像撮影装置１が所定距離だけ移動した後で電源がオフされた場所が前室Ｒ１や保管場所、すなわち装置を用いた撮影は行われない場所であることが分かる。
【００５４】
そのため、例えば切替手段２２Ａは、記憶手段３１に保存されているこれらの過去のイベント情報すなわち装置に加わる加速度の情報等から割り出した上記のパターンと、現時点でイベント情報管理手段２２Ｂが収集したイベント情報から割り出される放射線画像撮影装置１の状態に基づいて、放射線画像撮影装置１が現時点でどのような状態にあるかを判断する。すなわち、加速度センサー３３が検出した加速度により放射線画像撮影装置１が移動していると判断される場合には、撮影室Ｒ１に向かっているのか撮影室Ｒ１から退出しているのかを判断する。また、放射線画像撮影装置１が止まっているのであれば、撮影室Ｒ１にいるのか前室Ｒ２や保管場所にいるのかを判断する。
【００５５】
そして、切替手段２２Ａは、この判断処理において、放射線画像撮影装置１が撮影室Ｒ１から退出していたり、前室Ｒ２や保管場所等の、撮影室Ｒ１以外の場所にある場合には、放射線画像撮影装置１を用いた撮影が行われないと判断する。そして、撮影が行われないと判断した場合には、放射線画像撮影装置１の電源をオンからオフに切り替えたり、電力消費モードを撮影可能モードから省電力モード（例えばスリープモード）に切り替える。
【００５６】
このように構成することで、切替手段２２Ａが、少なくとも加速度センサー３３が検出した加速度に基づいて放射線画像撮影装置１の状態すなわち放射線画像撮影装置１が現時点でどこにいるかを判断し、放射線画像撮影装置１を用いた撮影が行われないと判断した場合には、放射線画像撮影装置１の電源を的確にオフしたり、電力消費モードを的確に省電力モードに切り替えることが可能となる。また、放射線技師等の操作者が放射線画像撮影装置１の電源をオフする等の操作を行うことを忘れても、切替手段２２Ａにより自動的に切り替えられる。そのため、放射線画像撮影装置１において、放射線技師等の操作者の使用実態等にあわせて無駄な電力消費を的確に抑制することが可能となる。
【００５７】
また、逆に、切替手段２２Ａが、少なくとも加速度センサー３３が検出した加速度に基づいて放射線画像撮影装置１が現時点で撮影室Ｒ１にいると判断し、放射線画像撮影装置１を用いた撮影が行われると判断した場合には、放射線画像撮影装置１の電源をオンに切り替えたり、電力消費モードを省電力モードから撮影可能モードに切り替えることが可能となる。また、放射線技師等の操作者が放射線画像撮影装置１の電源をオンする等の操作を行うことを忘れても、切替手段２２Ａにより自動的に切り替えられる。そのため、このように構成すれば、放射線画像撮影装置１の電源をオンしたり撮影可能モードに的確に切り替えて、放射線画像撮影装置１を撮影に用いることが可能な状態に切り替えることが可能となる。
【００５８】
なお、この構成例１の場合は、加速度センサー３３が検出した加速度の情報等に必ずしも実時間の情報を対応付けなくてもよい。すなわち、この構成例１においては、ＲＴＣ３４は必須の構成要素ではない。また、逆に、以下の各構成例では、改めてＲＴＣ３４により計られる実時間については触れないが、各イベント情報に実時間の情報を対応付けて記憶手段３１に保存するように構成することも可能である。
【００５９】
［構成例２］
また、上記のように、加速度センサー３３が検出した加速度の情報や放射線画像撮影装置１の電源のオン／オフ切り替え、電力消費モードの切り替え等の情報に、ＲＴＣ３４の実時間を対応付けて保存すれば、各情報に対応付けられた実時間の情報を解析することで、放射線画像撮影装置１がどのような時間帯に使用されているかが分かる。すなわち、例えば、午前９時から正午まで放射線画像撮影装置１を用いて撮影が行われ、正午から午後１時の間は撮影が行われず、午後１時以降の昼間は撮影が行われ、夜間はほとんど撮影が行われない等の傾向があることが分かる。
【００６０】
そこで、この構成例２では、例えば、イベント情報管理手段２２Ｂは、放射線画像撮影装置１に放射線が照射されたことを表す情報を収集し、その情報に、ＲＴＣ３４により計られた実時間の情報を対応付けて、撮影に関するイベント情報として記憶手段３１に保存する。なお、放射線画像撮影装置１に放射線が照射されたことを表す情報としては、例えば、上記の連携方式の場合も非連携方式の場合も、制御手段２２が各ＴＦＴ８をオフ状態として電荷蓄積状態に移行したことを上記の情報として収集するように構成することが可能である。なお、放射線画像撮影装置１から放射線発生装置５５にインターロック解除信号を送信したという情報（連携方式の場合）や、制御手段２２が放射線の照射開始を検出したという情報（非連携方式の場合）等の他の情報を、放射線画像撮影装置１に放射線が照射されたことを表す情報として収集するように構成することも可能である。
【００６１】
そして、切替手段２２Ａは、記憶手段３１に保存されている、実時間と対応付けられている過去のイベント情報（すなわちこの場合は実時間と対応付けられた放射線照射の情報）から、放射線画像撮影装置１が撮影に使用される時間帯や撮影に使用されない時間帯等を割り出す。そして、ＲＴＣ３４が出力する現在の実時間が、放射線画像撮影装置１が使用されない時間帯である場合には、撮影が行われないと判断して、放射線画像撮影装置１の電源をオンからオフに切り替えたり、電力消費モードを撮影可能モードから省電力モードに切り替えるように構成される。
【００６２】
このように構成することで、現在の実時間が、切替手段２２Ａが過去の使用状況から割り出した、当該放射線画像撮影装置１が撮影に使用されない時間帯である場合には、撮影が行われないと判断して、放射線画像撮影装置１の電源を的確にオフしたり、電力消費モードを的確に省電力モードに切り替えることが可能となる。また、放射線技師等の操作者が放射線画像撮影装置１の電源をオフする等の操作を行うことを忘れても、切替手段２２Ａにより自動的に切り替えられる。そのため、放射線画像撮影装置１において、放射線技師等の操作者の使用実態等にあわせて無駄な電力消費を的確に抑制することが可能となる。
【００６３】
また、逆に、現在の実時間が、切替手段２２Ａが過去の使用状況から割り出した、当該放射線画像撮影装置１が撮影に使用される時間帯である場合には、撮影が行われると判断して、放射線画像撮影装置１の電源を的確にオンに切り替える等の電源や電力消費モードの切り替え処理を行うように構成すれば、放射線技師等の操作者が放射線画像撮影装置１の電源をオンする等の操作を行うことを忘れた場合であっても、切替手段２２Ａにより自動的に切り替えられる。そのため、放射線画像撮影装置１を撮影に用いることが可能な状態に的確に切り替えることが可能となる。
【００６４】
［構成例３］
なお、放射線画像撮影装置１の電力消費モードをスリープモードに切り替えてしまうと、再度、撮影可能モードに切り替えてから実際に撮影可能になるまでに時間がかかってしまう場合がある。その点、撮影可能モードと同様に各機能部に通電するが各放射線検出素子７のリセット処理は行わないスタンバイモードの場合には、スタンバイモードから撮影可能モードに切り替えると速やかに撮影を行うことができる。しかし、スタンバイモードはスリープモードに比べると電力消費量が多い。
【００６５】
一方、本発明者らの研究によれば、放射線画像撮影装置１の電力消費モードをスリープモードに切り替えた状態で、ある一定の時間間隔ごとに、走査線５や信号線６、放射線検出素子７、ＴＦＴ８（図２参照）等が形成されたパネル部に、所定時間だけ通電すると、その後、放射線画像撮影装置１の電力消費モードをスリープモードから撮影可能モードに切り替えてから実際に撮影可能になるまでの時間を非常に短くすることが可能であることが分かっている（特願２０１３−２０７３４３号参照）。なお、このスリープモードにおいて定期的にパネル部に通電する電力消費モードを、スリープモードとは異なるモードとして、以下、定期通電モードという。また、定期通電モードは、スリープモードよりも電力消費量が多くなるが、撮影可能モードやスタンバイモードよりは電力消費量は格段に少ない。
【００６６】
そこで、例えば構成例２に示した電力消費モードの時間帯による切り替えをさらに細かく切り替えるように構成することも可能である。すなわち、例えば、病院等の施設では、午前中は患者が多いため、仮に現時点で次に行う予定の撮影がない場合でも、患者が来て撮影を行うことになる可能性が高い。そのため、このように放射線画像撮影装置１の使用頻度が高い時間帯には、放射線画像撮影装置１の電力消費モードを撮影可能モードからより消費電力が少ないモードに切り替えるとしても、再度、撮影可能モードに切り替えた場合に速やかに撮影を行うことができるスタンバイモードに切り替えることが望ましい。
【００６７】
また、午後は、午前中に比べれば患者が少なくなるが、仮に現時点で次に行う予定の撮影がない場合でも、患者が来て撮影を行うことになる可能性がある。そのため、このように放射線画像撮影装置１の使用頻度がいわば中程度の時間帯に、放射線画像撮影装置１の電力消費モードを撮影可能モードからより消費電力が少ないモードに切り替える場合には、スタンバイモードに切り替えると電力消費量が多くなるが、スリープモードに切り替えると患者がきた場合に速やかに対応できなくなってしまうため、上記の定期通電モードに切り替えることが望ましい。
【００６８】
さらに、夜間は、急患でもない限り、通常、放射線撮影は行われない。そのため、このように放射線画像撮影装置１の使用頻度が低い時間帯には、放射線画像撮影装置１の電力消費モードをスリープモードに切り替え、或いは、放射線画像撮影装置１の電源をオフに切り替えることが望ましい。なお、夜間に限らず、例えば、午後、放射線撮影をほとんど行わない施設等の場合には、上記と同様に、放射線画像撮影装置１の電力消費モードをスリープモードに切り替えたり、或いは、放射線画像撮影装置１の電源をオフに切り替えるように構成することも可能である。以上のように構成することで、放射線画像撮影装置１の使用実態等にあわせて無駄な電力消費を的確に抑制することが可能となる。
【００６９】
［構成例４］
一方、撮影を行う際、事前に、例えば図６に示すような撮影に関する撮影条件（「撮影部位」Ｐ７や「撮影方向」Ｐ８等）や患者情報（「患者ＩＤ」Ｐ２や「性別」４、「年齢」Ｐ５等）等が指定された撮影オーダー情報が作成される場合が多い。そして、例えば、一人の被撮影者（すなわちこの場合は患者）に対して腹部や胸部、頭部等の複数の撮影部位に対する撮影を行う場合には、図６の「撮影オーダーＩＤ」Ｐ１が「００１」〜「００４」のように、同じ患者に対して複数の撮影オーダー情報が作成されることになる。また、例えば児童の集団検診の場合のように、複数の被撮影者に対して同一の撮影部位（例えば胸部）を撮影する撮影が行われる場合には、図示を省略するが、異なる複数の被撮影者に対して同一の撮影部位が指定された複数の撮影オーダー情報が作成されることになる。
【００７０】
そして、複数の撮影オーダー情報が、前者のように、一人の患者に対して複数の撮影部位を撮影することを指定するものである場合、これらの撮影オーダー情報に従って撮影を行うと、撮影ごとに患者と放射線画像撮影装置１とのポジショニングや患者の移動等が行われるため、撮影と次の撮影との間にある程度の時間間隔が生じる。一方、後者の集団検診のように、複数の撮影オーダー情報が複数の被撮影者に対して同一の撮影部位を撮影することを指定するものである場合、これらの撮影オーダー情報に従って撮影を行うと、撮影が次々と行われ、撮影と次の撮影との間の時間間隔は短くなることが経験される。
【００７１】
そのため、このような場合に、撮影前にコンソール５８から送信されてくるこれらの撮影オーダー情報を記憶手段３１に保存しておき、これらの過去の撮影オーダー情報と、撮影と次の撮影との間の時間間隔との関係を解析すると、撮影オーダー情報が一人の患者に対して複数の撮影部位を撮影することを指定するものである場合には、撮影と次の撮影との間の時間間隔が長くなり、撮影オーダー情報が集団検診のように複数の被撮影者に対して同一の撮影部位を撮影することを指定するものである場合には、撮影と次の撮影との間の時間間隔が短くなる傾向があることが分かる。
【００７２】
そこで、構成例４では、放射線画像撮影装置１のイベント情報管理手段２２Ｂは、撮影ごとにコンソール５８から送信され入力されるこれらの撮影オーダー情報を撮影に関するイベント情報として記憶手段３１に保存していき、切替手段２２Ａがそれらの過去のイベント情報に基づいて上記の解析を行う。すなわち、構成例４では、放射線画像撮影装置１に入力される撮影オーダー情報がイベント情報ということになる。そして、切替手段２２Ａは、今回の撮影前にコンソール５８から送信されてきた撮影オーダー情報に基づいて、これから行われる撮影が一人の被撮影者に対して複数の撮影部位を撮影する撮影であると判断した場合には、撮影ごとに、放射線画像撮影装置１の電力消費モードを撮影可能モードからスタンバイモードに切り替えるように構成される。このように構成することで、撮影と次の撮影との間で患者と放射線画像撮影装置１とのポジショニングや患者の移動等が行われる間、放射線画像撮影装置１の電力消費モードを撮影可能モードからスタンバイモードに自動的に切り替えることが可能となり、放射線画像撮影装置１の電力消費を的確に抑制することが可能となる。
【００７３】
また、切替手段２２Ａは、今回の撮影前にコンソール５８から送信されてきた撮影オーダー情報に基づいて、これから行われる撮影が集団検診のように複数の被撮影者に対して同一の撮影部位を撮影すると判断した場合には、撮影ごとの電力消費モードの撮影可能モードからスタンバイモードへの切り替えは行わず、撮影可能モードのままとするように構成される。このように構成することで、撮影と次の撮影との間の時間間隔が短い場合に、撮影ごとにいちいち放射線画像撮影装置１の電力消費モードの切り替え操作を行う必要がなくなり、撮影を迅速かつ的確に行うことが可能となる。
【００７４】
なお、この場合、一人の被撮影者に対して複数の撮影部位を撮影する場合に、放射線画像撮影装置１の電力消費モードをスリープモードに切り替えてしまうと、前述したように、再度、撮影可能モードに切り替えてから実際に撮影可能になるまでに時間がかかってしまう可能性がある。その点、スタンバイモードの場合には、スタンバイモードから撮影可能モードに切り替えると速やかに撮影を行うことができる。そのため、電力消費の抑制を図るとしても、上記の場合には、電力消費モードを撮影可能モードとスリープモードとの間で切り替えるのではなく、撮影可能モードとスタンバイモードとの間で電力消費モードを切り替えるように構成することが好ましい。
【００７５】
［構成例５］
また、放射線技師等の操作者は、撮影部位によって、放射線画像撮影装置１の電力消費モードを撮影可能モードからスタンバイモードに切り替えたり切り替えなかったりする場合がある。すなわち、撮影部位が患者の胸部等の場合、呼吸による体動があるため、放射線技師等の操作者は、適切と思う任意のタイミングで放射線を照射できるようにするために、通常、いつでも放射線を照射できる状態にしておきたいと考える場合が多い。そのため、ポジショニングの間も放射線画像撮影装置１の電力消費モードが撮影可能モードのままの状態で（すなわちスタンバイモード等に切り替えない状態で）撮影を行うケースが少なくない。
【００７６】
それに対し、撮影部位が手や脚部等のような場合、呼吸による体動はないため、放射線技師等の操作者は、放射線画像撮影装置１の電力消費モードがスタンバイモードから撮影可能モードになってから放射線を照射させればよく、ポジショニングの間は、消費電力を少なくするためにスタンバイモードに切り替えておく方がよいと考える場合がある。そのため、操作者によっては、撮影部位に応じて、放射線画像撮影装置１の電力消費モードを撮影可能モードからスタンバイモードに切り替えたり、或いは切り替えなかったりする場合が生じ得る。
【００７７】
そこで、この構成例５においても放射線画像撮影装置１に入力された撮影オーダー情報を撮影に関するイベント情報として、放射線画像撮影装置１の切替手段２２Ａは、例えば、上記のように入力されて記憶手段３１に保存されている過去の各撮影オーダー情報中に指定されている「撮影部位」Ｐ７（図６参照）と、現時点で入力された撮影オーダー情報に指定されている「撮影部位」Ｐ７とに基づいて、これから行われる撮影に対応する撮影オーダー情報に指定されている「撮影部位」Ｐ７が上記の手や脚部等の場合のように電力消費モードをスタンバイモードに切り替えた状態を経由して行われる撮影であると判断した場合には、電力消費モードを撮影可能モードからスタンバイモードに切り替える。しかし、これから行われる撮影に対応する撮影オーダー情報に指定されている「撮影部位」Ｐ７が上記の胸部等の場合のように電力消費モードをスタンバイモードに切り替えた状態を経由せずに撮影可能モードのまま行われる撮影であると判断した場合には、電力消費モードの撮影可能モードからスタンバイモードへの切り替えは行わず、撮影可能モードのまま撮影を行うように構成することが可能である。
【００７８】
このように構成することで、撮影される患者の部位すなわち撮影部位に応じて、放射線技師等の操作者が、放射線画像撮影装置１の電力消費モードを撮影可能モードのままで撮影を行う場合（胸部等の場合）と、一旦スタンバイモードに切り替えた後で、再度、撮影可能モードに切り替えて行う場合（手や脚部等の場合）があるが、それにあわせて、切替手段２２Ａが撮影部位に応じて放射線画像撮影装置１の消費電力モードを的確に切り替え、或いは切り替えないように構成することが可能となる。そのため、放射線画像撮影装置１において、放射線技師等の操作者の使用実態等にあわせて無駄な電力消費を的確に抑制することが可能となる。
【００７９】
［構成例６］
また、患者（被撮影者）が大人であるか幼児であるかに応じて、放射線画像撮影装置１の電力消費モードを撮影可能モードのままで撮影するか、一旦スタンバイモードに切り替えた後で、再度、撮影可能モードに切り替えて行うかが、放射線技師等の操作者の判断で変わる場合があり得る。すなわち、患者が大人である場合には、いわばじっとしていられるため、放射線技師等の操作者は、ポジショニングの間は、消費電力を少なくするためにスタンバイモードに切り替えておく方がよいと考える場合がある。一方、患者が幼児であるような場合には、じっとしていられない場合があり、操作者は、撮影部位によって、放射線画像撮影装置１の電力消費モードを撮影可能モードのままにして、ちょうどよいタイミングで放射線を照射したいと考える場合がある。そのため、操作者によっては、患者の年齢に応じて、放射線画像撮影装置１の電力消費モードを撮影可能モードからスタンバイモードに切り替えたり、或いは切り替えなかったりする場合が生じ得る。
【００８０】
そこで、この構成例６においても、上記の構成例５の場合と同様に放射線画像撮影装置１に入力された撮影オーダー情報を撮影に関するイベント情報として、放射線画像撮影装置１の切替手段２２Ａは、例えば、上記のように入力されて記憶手段３１に保存されている過去の各撮影オーダー情報中に指定されている「年齢」Ｐ５の情報と、現時点で（すなわち今回の撮影の際に）入力された撮影オーダー情報に指定されている「年齢」Ｐ５とに基づいて、今回の撮影に対応する撮影オーダー情報に指定されている「年齢」Ｐ５が、患者が大人であることを示している場合のように電力消費モードをスタンバイモードに切り替えた状態を経由して行われる撮影であると判断した場合には、電力消費モードを撮影可能モードからスタンバイモードに切り替える。しかし、これから行われる撮影に対応する撮影オーダー情報に指定されている「年齢」Ｐ５が、患者が幼児であることを示している場合のように電力消費モードをスタンバイモードに切り替えた状態を経由せずに撮影可能モードのまま行われる撮影であると判断した場合には、電力消費モードの撮影可能モードからスタンバイモードへの切り替えは行わず、撮影可能モードのまま撮影を行うように構成することが可能である。
【００８１】
このように構成することで、撮影される患者の年齢、すなわちじっとしていられる大人であるか、じっとしていられない幼児であるかに応じて、放射線技師等の操作者が、放射線画像撮影装置１の電力消費モードを撮影可能モードのままで撮影を行う場合（幼児の場合）と、一旦スタンバイモードに切り替えた後で、再度、撮影可能モードに切り替えて行う場合（大人の場合）があるが、放射線画像撮影装置１の切替手段２２Ａが患者の年齢に応じて放射線画像撮影装置１の消費電力モードを的確に切り替え、或いは切り替えないように構成することが可能となる。そのため、放射線画像撮影装置１において、放射線技師等の操作者の使用実態等にあわせて無駄な電力消費を的確に抑制することが可能となる。
【００８２】
［構成例７］
一方、放射線画像撮影装置１は、例えば図３に示したように、撮影室Ｒ１のブッキー装置５１に装填されて撮影に用いられたり、或いは図４に示したように、回診車６０とともに病室Ｒ３に持ち込まれ、ブッキー装置５１等には装填されない、いわば単独の状態で、ベッドＢと患者Ｈの身体との間に差し込まれたり患者Ｈの身体にあてがわれたりして用いられる場合がある。そして、撮影室Ｒ１に据え付けられたいわゆる専用機型の放射線画像撮影装置の場合には撮影室Ｒ１でしか用いられないが、本実施形態のような可搬型の放射線画像撮影装置１の場合、撮影室Ｒ１でも病室Ｒ３でもどこでも撮影に用いることができるといったメリットがある。
【００８３】
そして、撮影室Ｒ１で放射線画像撮影装置１を用いて撮影が行われる場合、ブッキー装置５１に装填された放射線画像撮影装置１と被写体である患者の撮影部位とのポジショニングを比較的速やかに行うことができ、比較的速やかに撮影が行われるため、放射線画像撮影装置１の電力消費モードを撮影可能モードにしたままで（すなわち省電力モードに切り替えずに）撮影を行っても、さほど大きな電力は消費されない。それに対し、放射線画像撮影装置１が回診車６０とともに病室Ｒ３に持ち込まれる等して撮影が行われる場合、放射線画像撮影装置１と患者の撮影部位とのポジショニングに時間がかかる場合があり、そのような場合に撮影可能モードにしたままであると、比較的大きな電力が消費されてしまう虞れがある。そのため、回診車６０とともに放射線画像撮影装置１を持ち込んで撮影を行う場合には、放射線画像撮影装置１の電力消費モードを一旦省電力モードに切り替えた方がよい。
【００８４】
放射線画像撮影装置１には、例えば、撮影室Ｒ１に持ち込まれる際や、回診車６０とともに病室Ｒ３に持ち込まれる際等に、事前に、撮影室Ｒ１に対応付けられているコンソール５８や回診車６０上のコンソール５８等から撮影室Ｒ１や回診車６０の識別情報が送信されてくる。また、撮影室Ｒ１や回診車６０の識別情報等が送信されない場合でも、少なくとも、事前に、撮影室Ｒ１のアクセスポイント５３（図３参照）や回診車６０のアクセスポイント５３（図４では図示省略）の識別情報（ＳＳＩＤ等）等がコンソール５８から送信されたり、或いは放射線技師等の操作者から入力されたり、或いは放射線画像撮影装置１自体がアクセスポイント５３から入手したりする。
【００８５】
そこで、放射線画像撮影装置１のイベント情報管理手段２２Ｂは、これらの撮影室Ｒ１や回診車６０の識別情報や、アクセスポイント５３の識別情報を、撮影に関するイベント情報（すなわち撮影が撮影室Ｒ１で行われるか或いは回診車６０を用いて行われるかに関する情報）として収集し、或いは入力されたイベント情報を受け付ける。なお、放射線画像撮影装置１のイベント情報管理手段２２Ｂは、イベント情報をアクセスポイント５３の識別情報の形で収集し或いは入力を受け付けた場合には、収集し或いは入力を受け付けたアクセスポイント５３の識別情報から、それに対応する撮影室Ｒ１や回診車６０の識別情報を割り出して上記のイベント情報として管理する。すなわち、この構成例７では、撮影室Ｒ１や回診車６０の識別情報が、撮影に関するイベント情報ということになる。
【００８６】
そして、イベント情報管理手段２２Ｂは、撮影が行われるごとに、その撮影が行われた撮影室Ｒ１や回診車６０の識別情報をイベント情報として記憶手段３１に保存していく。そして、放射線画像撮影装置１の切替手段２２Ａは、記憶手段３１に保存されたイベント情報における撮影の状況を解析すると、上記のように、撮影室Ｒ１では放射線画像撮影装置１がブッキー装置５１に装填されてから比較的速やかに撮影が行われるのに対して、放射線画像撮影装置１が回診車６０とともに病室Ｒ３に持ち込まれて撮影が行われる場合には、放射線画像撮影装置１と患者の撮影部位とのポジショニングに時間がかかり、撮影が行われるまでの時間が比較的長いという傾向があることが分かる。
【００８７】
そこで、切替手段２２Ａは、上記のように、撮影前の時点で、撮影が撮影室Ｒ１で行われるか、または回診車６０を用いて行われるかに関する情報を収集し或いは入力を受け付けると、記憶手段３１に保存されている過去のイベント情報と、現時点で収集し或いは入力を受け付けた上記のイベント情報とに基づいて、撮影が回診車６０を用いて行われると判断した場合には、放射線画像撮影装置１の電力消費モードを一旦撮影可能モードから省電力モードに切り替えるように構成される。このように構成することで、回診車６０を用いた撮影で、放射線画像撮影装置１と患者の撮影部位とのポジショニングに時間がかかる場合に、放射線画像撮影装置１の電力消費モードを一旦撮影可能モードから省電力モードに自動的に切り替えることが可能となり、放射線画像撮影装置１の電力消費を的確に抑制することが可能となる。
【００８８】
［構成例７−１］
なお、病院等の施設内に撮影室Ｒ１が複数設けられていたり、或いは回診車６０が複数配置されているような場合、上記のように、放射線画像撮影装置１の切替手段２２Ａが、撮影室Ｒ１や回診車６０、アクセスポイント５３の識別情報を収集し或いは入力を受け付けると、撮影が撮影室Ｒ１で行われるか回診車６０を用いて行われるかだけでなく、撮影がどの撮影室Ｒ１で行われるか、或いはどの回診車６０を用いて行われるかまで知ることができる。
【００８９】
そして、図７に示すように、例えば撮影室Ｒ１が複数設けられる場合、撮影室Ｒ１によっては、立位撮影用のブッキー装置５１Ａや臥位撮影用のブッキー装置５１Ｂのいずれか一方しかなかったり、或いは、立位撮影用のブッキー装置５１Ａと臥位撮影用のブッキー装置５１Ｂとで放射線源５２が共用されていたり、或いは別々に設けられていたりするなど、個々の撮影室Ｒ１ごとに撮影環境が異なっている場合がある。また、回診車６０を用いて撮影を行う場合でも、回診車６０ごとに、撮影に関する操作やその手順、或いは各操作に要する時間が異なっている場合があり、やはり個々の回診車６０ごとに撮影態様が異なっている場合がある。
【００９０】
そこで、放射線画像撮影装置１の切替手段２２Ａは、イベント情報管理手段２２Ｂが収集したり入力を受け付けたりして記憶手段３１に保存した過去のイベント情報と、今回の撮影で使用される撮影室Ｒ１や回診車６０の情報に基づいて、撮影に用いられる撮影室Ｒ１や回診車６０ごとに、撮影の際に、放射線画像撮影装置１の電力消費モードを一旦撮影可能モードから省電力モードに切り替えるか、或いは撮影可能モードのまま撮影を行うかを決めるように構成することも可能である。なお、図７において、Ｎは撮影室Ｒ１とコンソール５８とを接続するネットワークを表す。また、管理装置Ｓは、例えばサーバー等のコンピューターで構成されるが、管理装置Ｓについては後で説明する。
【００９１】
［構成例８］
一方、上記の構成を、放射線画像撮影装置１のバッテリー２４（図２参照）の残りの電圧で、その後の撮影のスケジュールを完了することができるか否かの推定に用いることが可能である。すなわち、具体的には、図示を省略するが、放射線画像撮影装置１は、バッテリー２４の電圧Ｖを検出する電圧検出手段を備えるように構成する。そして、イベント情報管理手段２２Ｂは、電圧検出手段からのバッテリー２４の電圧Ｖの情報や、撮影が行われた場合にはその情報を収集して記憶手段３１に保存する。すなわち、この構成例８の場合は、電圧検出手段が検出するバッテリー２４の電圧の情報と、撮影が行われたとの情報が、放射線画像撮影装置１に関するイベント情報ということになる。
【００９２】
そして、放射線画像撮影装置１の切替手段２２Ａは、常時、或いはバッテリー２４の電圧Ｖの残量が例えば設定された閾値以下になり少なくなった場合に、記憶手段３１に保存されている過去のバッテリー２４の電圧の情報や撮影が行われたとの情報から、現時点でのバッテリー２４の電圧で残りの撮影スケジュールを完了することが可能か否かを判断する。そして、現時点でのバッテリー２４の電圧で残りの撮影スケジュールを完了することができないと判断した場合には、その旨を、例えば、放射線画像撮影装置１やコンソール５８上に表示したり放射線画像撮影装置１のインジケーター２８（図１参照）を点灯、点滅させたり、或いは音声を発声する等して、ユーザーに報知するように構成することが可能である。
【００９３】
このように構成することで、バッテリー２４の電圧Ｖの残量がなくなって残りの撮影スケジュールを完了することができなくなる前に、放射線技師等の操作者に放射線画像撮影装置１のバッテリー２４を充電することについて的確に注意を喚起することが可能となる。そして、放射線技師等の操作者は、報知に従って、患者の入れ替え時間や休憩時間等を使って放射線画像撮影装置１のバッテリー２４の充電を行うことが可能となり、バッテリー２４の電圧Ｖの残量がなくなって残りの撮影スケジュールを完了することができなくなる事態が発生することを的確に防止することが可能となる。
【００９４】
なお、上記のように構成する際、例えば、放射線画像撮影装置１のバッテリー２４の充電を行うごとに充電の速さ（すなわち単位時間あたりのバッテリー２４の電圧Ｖの上昇率）の情報を収集しておき、現時点でのバッテリー２４の電圧Ｖの残量に基づいて、どれだけの時間だけバッテリー２４を充電すれば残りの撮影スケジュールを完了することができるか等の情報をも表示する等して通知するように構成することも可能である。このように構成すれば、放射線技師等の操作者は、少なくとも通知された時間だけ放射線画像撮影装置１のバッテリー２４を充電することで、残りの撮影スケジュールを的確に完了させることが可能となる。
【００９５】
［構成例９］
なお、上記の構成例１〜８では、放射線画像撮影装置１の切替手段２２Ａが、記憶手段３１に保存されている過去のイベント情報と、現時点で収集し或いは入力を受け付けたイベント情報とに基づいて、撮影が行われるか否かを自ら判断し、撮影が行われないと判断した場合には、放射線画像撮影装置１の電源をオンからオフに切り替えたり、放射線画像撮影装置１の電力消費モードを撮影可能モードから省電力モードに切り替える場合について説明した。しかし、放射線画像撮影装置１の切替手段２２Ａが判断する代わりに、放射線画像撮影装置１のイベント情報管理手段２２Ｂが収集し或いは入力を受け付けたイベント情報を、無線通信や有線通信を介してコンソール５８（図３や図４参照）や管理装置Ｓ（図７参照）に送信し、コンソール５８や管理装置Ｓが判断するように構成することも可能である。すなわち、上記の情報の収集入力処理や判断処理等を、放射線画像撮影装置１のみで行う代わりに、放射線画像撮影装置１やコンソール５８等を含む放射線画像撮影システム５０（図３、図４、図７参照）全体で行うように構成することも可能である。
【００９６】
具体的には、コンソール５８や管理装置Ｓは、放射線画像撮影装置１のイベント情報管理手段２２Ｂが収集し或いは入力を受け付けたイベント情報が送信されてくると、それを記憶手段５９（図３参照）や記憶手段Ｓａ（図７参照）に保存していく。そして、コンソール５８や管理装置Ｓは、記憶手段５９、Ｓａに保存されている過去のイベント情報と、現時点で放射線画像撮影装置１のイベント情報管理手段２２Ｂが収集し或いは入力を受け付けて送信してきたイベント情報とに基づいて、上記の構成例１〜８と同様にして撮影が行われるか否かを判断する。そして、撮影が行われないと判断した場合には、放射線画像撮影装置１の電源をオンからオフに切り替えたり、放射線画像撮影装置１の電力消費モードを撮影可能モードから省電力モードに切り替えるように放射線画像撮影装置１の切替手段２２Ａに指示する信号を送信する。そして、放射線画像撮影装置１の切替手段２２Ａは、その指示に従って、放射線画像撮影装置１の電源をオンからオフに切り替えたり、放射線画像撮影装置１の電力消費モードを撮影可能モードから省電力モードに切り替える処理を行うように構成される。
【００９７】
そして、このように構成することで、上記の構成例１〜８の場合と同様に、放射線画像撮影装置１において、放射線技師等の操作者の使用実態等にあわせて無駄な電力消費を的確に抑制することが可能となる。また、上記の構成例１〜８のように、放射線画像撮影装置１の切替手段２２Ａやイベント情報管理手段２２Ｂで上記の情報の収集入力処理や判断処理等を行うのではなく、放射線画像撮影装置１やコンソール５８等を含む放射線画像撮影システム５０全体で上記の判断処理等を行うことになる。そのため、放射線画像撮影装置１で上記の情報の収集入力処理や判断処理等の全てを行わなくて済むようになるため、その分、放射線画像撮影装置１の電力が消費されることをより的確に抑制することが可能となる。そして、放射線画像撮影装置１の切替手段２２Ａ（本実施形態の場合は制御手段２２）にかかる処理の負荷をより軽減することが可能となる。
【００９８】
［効果］
以上のように、本実施形態に係る放射線画像撮影装置１や放射線画像撮影システム５０によれば、放射線画像撮影装置１の切替手段２２Ａは、記憶手段３１、５９、Ｓａに保存されている過去のイベント情報と、放射線画像撮影装置１のイベント情報管理手段２２Ｂが現時点で収集し或いは入力を受け付けたイベント情報とに基づいて、撮影が行われるか否かを判断し、撮影が行われないと判断した場合には、放射線画像撮影装置１の電源をオンからオフに切り替えたり、電力消費モードを撮影可能モードから省電力モードに切り替えるように構成したため、放射線技師等の操作者の使用実態等にあわせて放射線画像撮影装置１のバッテリー２４の無駄な電力消費を的確に抑制することが可能となる。
【００９９】
そのため、可搬型放射線画像撮影装置１においてバッテリー２４の１回の充電で行うことができる撮影の回数を増加させることが可能となり、放射線画像撮影装置１を用いた撮影での撮影の作業効率をより向上させることが可能となる。また、そのため、放射線画像撮影装置１や、放射線画像撮影装置１を含む放射線画像撮影システム５０を、放射線技師等の操作者にとって使い勝手がよいものとすることが可能となる。
【０１００】
なお、放射線技師等の操作者すなわちユーザーによって、放射線画像撮影装置１の使用の仕方が異なる場合も少なくない。そこで、上記のイベント情報管理手段２２Ｂによる情報の収集入力処理や、切替手段２２Ａによる、記憶手段３１に保存されている過去のイベント情報と、現時点で収集されまたは入力されたイベント情報とに基づく撮影が行われるか否かの判断処理を、当該放射線画像撮影装置１を使用するユーザーごとすなわち操作者ごとに個別に行うように構成することも可能である。この場合、例えば、放射線画像撮影装置１を使用するごとに、当該放射線画像撮影装置１に、ユーザーごとに割り振られたユーザーＩＤ等の識別情報を入力する。そして、放射線画像撮影装置１のイベント情報管理手段２２Ｂは、収集し或いは入力を受け付けたイベント情報にこのユーザーに関する識別情報を付帯させて記憶手段３１に保存していく。そして、切替手段２２Ａでの判断処理においては、現時点で当該放射線画像撮影装置１を使用しているユーザーに関する識別情報が付帯されたイベント情報のみに基づいて処理を行うように構成することが可能である。
【０１０１】
このように構成すれば、放射線画像撮影装置１を使用するユーザーごとに、当該ユーザーの癖や技量、撮影の手順等に対する好み等に応じて、放射線画像撮影装置１の電源のオン／オフや電力消費モードの切り替えを適切に行うことが可能となり、放射線画像撮影装置１において、放射線技師等の操作者ごとの使用実態等にあわせてより的確に電力消費を抑制することが可能となる。
【０１０２】
なお、本発明が上記の実施形態に限定されず、本発明の趣旨を逸脱しない限り、適宜変更可能であることは言うまでもない。
【符号の説明】
【０１０３】
１  放射線画像撮影装置（可搬型放射線画像撮影装置）
７  放射線検出素子
２２Ａ  切替手段
２２Ｂ  イベント情報管理手段
２４  バッテリー
３０  通信部（通信手段）
３１  記憶手段
３３  加速度センサー
３４  ＲＴＣ（時計）
５０  放射線画像撮影システム
５８  コンソール
５９  記憶手段
６０  回診車
Ｐ５  年齢
Ｐ７  撮影部位
Ｒ１  撮影室
Ｓ  管理装置
Ｓａ  記憶手段
Ｖ  バッテリーの電圧
【図１】
2015112358.tif 000003
【図２】
2015112358.tif 000004
【図３】
2015112358.tif 000005
【図４】
2015112358.tif 000006
【図５】
2015112358.tif 000007
【図６】
2015112358.tif 000008
【図７】
2015112358.tif 000009